(57)【要約】  電子機器は、ハウジングと、ボタン電気回路ブロックと、ボタン電気回路ブロックと動作可能に通信している少なくとも１つのユーザーが操作可能なボタンと、マイクロコントローラブロックと、初公開（ＦＴＯ）電気回路ブロックと、を含む。ＦＴＯ電気回路ブロックは、ハウジング内に配置され、起動ノード及び信号受信端子を含む。更に、ＦＴＯ電気回路ブロックは、外部装置（例えば、製造試験器）による起動ノードへの電気信号の直接印加時、又は信号受信端子での停止信号の受信時のいずれかで、電子機器をディープ省電力モードにするように構成される。また、ＦＴＯ電気回路ブロックは、少なくとも１つのユーザーが操作可能なボタンから所定のユーザートリガ信号を受信すると、ディープ省電力モードを終了させ、電子機器を通常動作モードにするようにも構成される。更に、マイクロコントローラブロックは、マイクロコントローラブロックが受信した外部指令信号に応じて、信号受信端子で受信される停止信号を生成するように構成される。【選択図】図３
2014505258.tif 000002
【特許請求の範囲】
【請求項１】
ハウジングと、
ボタン電気回路ブロックと、
前記ボタン電気回路ブロックと動作可能に通信している、少なくとも１つのユーザーが操作可能なボタンと、
マイクロコントローラブロックと、
前記ハウジング内に配置される初公開（ＦＴＯ）電気回路ブロックであって、前記ＦＴＯ電気回路ブロックが起動ノード及び信号受信端子を含む、ＦＴＯ電気回路ブロックと、を含む、電子機器であって、
前記ＦＴＯ電気回路ブロックが、外部装置による前記起動ノードへの電気信号の直接印加時、又は前記信号受信端子での停止信号の受信時のいずれかで、前記電子機器をディープ省電力モードにするように構成され、
前記マイクロコントローラブロックが、前記マイクロコントローラブロックが受信した外部指令信号に応じて、前記信号受信端子で受信される前記停止信号を生成するように構成され、
前記ＦＴＯ電気回路ブロックがまた、前記少なくとも１つのユーザーが操作可能なボタンから所定のユーザートリガ信号を受信すると、前記ディープ省電力モードを終了させ、前記電子機器を通常動作モードにするように構成される、電子機器。
【請求項２】
少なくとも１つの通信ポートブロック入力を備えた通信ポートブロックを更に含み、前記信号受信端子が通信ポートブロック入力である、請求項１に記載の電子機器。
【請求項３】
前記通信ポートブロックが、前記外部指令を受信して前記マイクロコントローラブロックに転送するように構成される、請求項２に記載の電子機器。
【請求項４】
前記通信ポートブロックがＵＳＢブロックである、請求項２に記載の電子機器。
【請求項５】
前記ＦＴＯ電気回路ブロックが、前記ＦＴＯ電気回路内における不注意による状態変化を防ぐように構成された少なくとも１つの低域フィルターを含む、請求項１に記載の電子機器。
【請求項６】
前記ＦＴＯ電気回路ブロックが、少なくとも１つの抵抗の動作可能な集積化により低漏洩動作をするように構成される、請求項１に記載の電子機器。
【請求項７】
前記外部指令信号がＡＴＥ生成ソフトウェア指令信号である、請求項１に記載の電子機器。
【請求項８】
前記停止信号が低レベルグラウンド信号である、請求項１に記載の電子機器。
【請求項９】
前記ハウジング内に配置される、充電式電池を更に含む、請求項１に記載の電子機器。
【請求項１０】
前記充電式電池が、前記ハウジング内に永久的に封止される、請求項９に記載の電子機器。
【請求項１１】
前記電子機器が、前記ディープ省電力モードで約１５ｎＡ未満の電力を消費するように構成される、請求項１に記載の電子機器。
【請求項１２】
電子機器を使用する方法であって、
外部装置による前記電子機器の初公開（ＦＴＯ）電気回路ブロックの起動ノードへの電気信号の直接印加、又は前記ＦＴＯ電気回路ブロックの信号受信端子での停止信号の受信のいずれかにより、前記電子機器をディープ省電力モードにすることによって、前記電子機器のエンドユーザー操作の前に保管及び輸送のうちの少なくとも１つのために前記電子機器を準備する工程と、
前記ＦＴＯ電気回路ブロックが、前記電子機器のユーザーが操作可能なボタンから所定のユーザートリガ信号を受信するのに基づき、前記ディープ省電力モードを終了させ、前記電子機器を通常動作モードにする工程と、
エンドユーザーが前記電子機器を操作する工程と、を含む、方法。
【請求項１３】
前記準備する工程が、マイクロコントローラブロックを含む電子機器を準備することを含み、前記マイクロコントローラブロックが、前記マイクロコントローラブロックが受信した外部指令信号に応じて、信号受信入力端子で受信される前記停止信号を生成するように構成される、請求項１２に記載の方法。
【請求項１４】
前記準備する工程が、前記ＦＴＯ電気回路ブロックの前記信号受信端子で前記マイクロコントローラブロックより生成される停止信号を受信することにより、前記電子機器をディープ省電力モードにすることを含む、請求項１３に記載の方法。
【請求項１５】
前記外部指令信号が、ＡＴＥ生成ソフトウェア指令信号である、請求項１３に記載の方法。
【請求項１６】
前記停止信号が低レベルグラウンド信号である、請求項１３に記載の方法。
【請求項１７】
前記信号受信端子が、前記電子機器の通信ポートブロック入力である、請求項１２に記載の方法。
【請求項１８】
前記準備する工程の後、かつ前記終了させる工程の前に、前記電子機器を電子機器製造現場から輸送する工程を更に含む、請求項１２に記載の方法。
【請求項１９】
前記準備する工程の後、かつ前記終了させる工程の前に、前記電子機器を保管する工程を更に含む、請求項１２に記載の方法。
【請求項２０】
前記終了させる工程が、前記ＦＴＯ電気回路ブロックが前記電子機器のユーザーが操作可能なボタンから所定のユーザートリガ信号を受信するのに基づいて実施される、請求項１２に記載の方法。
【発明の詳細な説明】
【技術分野】
【０００１】
（関連出願の相互参照）
本願は、米国特許法第１２０条に基づき、２０１１年１月２６日に出願された米国特許出願第１３／０１４，４５３号「Ｈａｎｄ−Ｈｅｌｄ  Ｔｅｓｔ  Ｍｅｔｅｒ  ｗｉｔｈ  Ｄｅｅｐ  Ｐｏｗｅｒ  Ｃｏｎｓｅｒｖａｔｉｏｎ  Ｍｏｄｅ  ｖｉａ  Ｄｉｒｅｃｔ  ｏｒ  Ｇｅｎｅｒａｔｅｄ  Ｓｉｇｎａｌ  Ａｐｐｌｉｃａｔｉｏｎ  ａｎｄ  Ｍｅｔｈｏｄ  ｆｏｒ  Ｅｍｐｌｏｙｉｎｇ  Ｓｕｃｈ  ａ  Ｍｅｔｅｒ」の一部継続出願として優先権を主張するものであり、その内容全体は参照によって本明細書に組み込まれる。
【０００２】
（発明の分野）
本発明は、一般に電子機器に関し、詳細には、家庭用電子機器及び関連の方法に関する。
【背景技術】
【０００３】
（関連技術の説明）
家庭用電子機器で電池の寿命を保つために、電池とその接点との間にプラスチックテープが慣習的に配置されており、ユーザーは家庭用電子機器を使用する前にプラスチックテープを取り除く必要がある。
【図面の簡単な説明】
【０００４】
【図１】本発明の実施形態による、手持ち式試験計測器の簡略化平面図。
【図２】図１の手持ち式試験計測器の様々なブロックの簡略化ブロック図。
【図３】本発明の実施形態に使用可能な、初公開（ＦＴＯ）電気回路ブロック（図３の破線内）、ボタン電気回路ブロック、電源回路ブロック、マイクロコントローラブロック、及び電池の簡略化した複合電気配線及びブロック図。
【図４】本発明の実施形態による、手持ち式試験計測器を採用するための方法における段階を描写する、フローチャート。
【発明を実施するための形態】
【０００５】
本発明の新規特徴は、特に添付の特許請求の範囲に記載される。本発明の特徴及び利点は、次の、本発明の原理が利用される例示的な実施形態を記載する以下の発明を実施するための形態、並びに同様の数表示が同様の要素を示す添付の図面を参照することによって、より理解されるであろう。
【０００６】
以下の詳細な説明は、図面を参照しつつ読まれるべきもので、異なる図面中、同様の要素は同様の参照符号にて示してある。図面は、必ずしも実寸ではなく、あくまで説明を目的とした例示的な実施形態を図示したものであり、本発明の範囲を限定することを目的とするものではない。詳細な説明は本発明の原理を限定するものではなく、あくまでも例として説明するものである。この説明文は、当業者による発明の製造及び使用を明確に可能ならしめるものであり、出願時における発明を実施するための最良の形態と考えられるものを含む、発明の複数の実施形態、適応例、変形例、代替例、並びに使用例を述べるものである。
【０００７】
本明細書で任意の数値や数値の範囲について用いる「約」又は「およそ」という用語は、構成要素の部分又は構成要素の集合が、本明細書で述べるその所望の目的に沿って機能することを可能とするような適当な寸法の許容誤差を示すものである。
【０００８】
本発明の代表的な実施形態は、体液試料（例えば、全血試料）中の検体（グルコース等）の判定において分析試験ストリップ（例えば、電気化学系分析試験ストリップ）と共に使用するための手持ち式試験計測器に関して説明されるが、本発明は、任意の電子機器、詳細には家庭用電子機器に適用可能であり、これには、コンピュータ、プリンタ、コピー機、テレファクス、携帯電話、玩具、ＭＰ３プレーヤ、オーディオ装置、テレビ、ステレオ、ラジオ、計算器、デジタルカメラ、ＧＰＳ自動車エレクトロニクス、台所用品、ＤＶＤ、ＶＣＲ、又はカムコーダなどの映像媒体を使用するプレーヤ及びレコーダが挙げられるが、これらに限定されない。
【０００９】
一般的には、本発明の実施形態による、体液試料（例えば、全血試料）中の検体（グルコース等）の判定において、分析試験ストリップ（例えば、電気化学系分析試験ストリップ）と共に使用するための手持ち式試験計測器は、ハウジングと、ボタン電気回路ブロックと、ボタン電気回路ブロックと動作可能に通信している、少なくとも１つのユーザーが操作可能なボタンと、マイクロコントローラブロックと、初公開（ＦＴＯ）電気回路ブロックと、を含む。
【００１０】
このような手持ち式試験計測器では、ＦＴＯ電気回路ブロックは、ハウジング内に配置され、起動ノード（ａｃｔｉｖａｔｉｏｎ  ｎｏｄｅ）及び信号受信端子を含む。更に、ＦＴＯ電気回路ブロックは、（ｉ）外部装置（例えば、製造試験器）による起動ノードへの電気信号の直接印加時、又は（ｉｉ）信号受信端子での停止信号（ｄｅａｃｔｉｖａｔｉｏｎ  ｓｉｇｎａｌ）の受信時のいずれかで、手持ち式試験計測器をディープ省電力モードにするように構成される。ＦＴＯ電気回路ブロックは、少なくとも１つのユーザーが操作可能なボタンから所定のユーザートリガ信号を受信すると、ディープ省電力モードを終了させ、手持ち式試験計測器を通常動作モードにするようにも構成される。更に、マイクロコントローラブロックは、マイクロコントローラブロックが受信した外部指令信号（例えば、自動試験装置（ＡＴＥ）生成ソフトウェア指令信号）に応じて、信号受信端子で受信される停止信号を生成するように構成される。
【００１１】
本発明の実施形態による手持ち式試験計測器は、２つの方法、すなわち（ｉ）ＦＴＯ電気回路ブロックへの電気信号の直接印加、又は（ｉｉ）生成された停止信号のＦＴＯ電気回路ブロックによる受信、のいずれかによってディープ省電力モードにするように構成される、柔軟性及び利便性を有するという点で特に有益である。例えば、製造、生産試験又はサプライチェーンのいずれかにおいて起動ノードへのアクセス準備不足のためにこれらの方法の前者が不都合である場合、後者の方法を使用することができる。例えば、生成された停止信号は、手持ち式試験計測器のファームウェアの更新後、手持ち式試験計測器を都合よく簡単にディープ省電力モードにするために使用され得る。直接印加された信号に基づく方法と生成された信号に基づく方法との、これら２つの方法を備えるため、本発明の実施形態による手持ち式試験計測器は、直接印加又は生成信号印加のいずれかによるディープ省電力モードを備えた手持ち式試験計測器とも呼ばれる。
【００１２】
更に、本発明の実施形態による手持ち式試験計測器は、起動ノード（テストポイントとも呼ばれる）及び信号受信端子（電気配線／電線などの任意の好適な形態をとることができる）が共にハウジング内に配置されており、エンドユーザーは当然アクセスできないため、ディープ省電力モードがエンドユーザー（すなわち、手持ち式試験計測器を実演する医療関係者又は手持ち式試験計測器を操作する患者）によって不注意で起動されることがないという点でも有益である。ただし、適切な手持ち式試験計測器ボタンを押すことによって手持ち式試験計測器を単にオンにする（起動する）ことを含む、エンドユーザーの手持ち式試験計測器の通常の操作によって、所定のユーザートリガ信号を生成することができるため、ディープ省電力モードの終了は簡単であり、直感的であり、かつエンドユーザー側の専用アクションを必要としない。更に、ディープ省電力モードは、封止された充電式電池を備える手持ち式試験計測器の充電された状態での有害な充電損失のない輸送及び長期保管を可能にする。したがって、手持ち式計測器は、いったんディープ省電力モードが終了されると、即時動作（例えば、箱から取り出したそのままの状態での試験及び実演）が可能である。
【００１３】
図１は、本発明の実施形態による、ディープ省電力モードを備えた手持ち式試験計測器１００の簡略化平面図描写である。図２は、手持ち式試験計測器１００の様々なブロックの簡略化ブロック図である。
【００１４】
いったん当業者が本開示を鑑定すれば、当業者は、本発明による手持ち式試験計測器として容易に修正することができる手持ち式試験計測器の例が、ＬｉｆｅＳｃａｎ  Ｉｎｃ．（Ｍｉｌｐｉｔａｓ，Ｃａｌｉｆｏｒｎｉａ）から市販されているＯｎｅＴｏｕｃｈ（登録商標）Ｕｌｔｒａ（登録商標）２グルコース計測器であるということを認識するであろう。同様に修正することができる手持ち式試験計測器の追加例は、米国特許出願公開第２００７／００８４７３４号（２００７年４月１９日公開）及び同第２００７／００８７３９７号（２００７年４月１９日公開）、並びに国際公開第２０１０／０４９６６９号（２０１０年５月６日公開）に見られ、これらのそれぞれは、参照によって全体が本明細書に組み込まれる。
【００１５】
手持ち式試験計測器１００は、ディスプレイ１０２と、複数個のユーザーインターフェースボタン１０４と、ストリップポートコネクタ１０６と、ＵＳＢインターフェース１０８と、ハウジング１１０と、を含む（図１を参照）。具体的には図２を参照すると、更に、手持ち式試験計測器１００は、電池１１２と、初公開（ＦＴＯ）電気回路ブロック１１４と、ボタン電気回路ブロック１１６と、電源回路ブロック１１８と、マイクロコントローラブロック１２０と、通信ポートブロック１２２と、ディスプレイ制御ブロック１２４と、メモリブロック１２６と、試験電圧を分析試験ストリップ（図示せず）に印加するため、及び電気化学応答（例えば、複数個の試験電流値）もまた測定し、電気化学応答に基づき、検体を判定するための他の電子構成要素（図示せず）と、をも含む。現在の説明を簡略化するために、図面は、そのような電子回路すべてを描写しない。
【００１６】
ディスプレイ１０２は、例えば、画面画像を示すように構成される液晶ディスプレイ又は双安定ディスプレイであってもよい。画面画像の例には、グルコース凝縮、日付及び時間、エラーメッセージ、並びにエンドユーザーがどのように試験を実行するかを指示するためのユーザーインターフェースが挙げられる。
【００１７】
ストリップポートコネクタ１０６は、全血試料中のグルコースの判定のために構成される電気化学系分析試験ストリップ等の分析試験ストリップ（図面中には描写されていない）と動作可能に連動するように構成される。したがって、分析試験ストリップは、ストリップポートコネクタ１０６への動作可能挿入のために構成される。分析試験ストリップは、ＬｉｆｅＳｃａｎ  Ｉｎｃ．（Ｍｉｌｐｉｔａｓ，Ｃａｌｉｆｏｒｎｉａ）から市販されるＯｎｅＴｏｕｃｈ（登録商標）Ｕｌｔｒａ（登録商標）グルコース試験ストリップ等の電気化学系分析試験ストリップを含む、任意の好適な分析試験ストリップであってもよい。分析試験ストリップの例は、米国特許第５，７０８，２４７号、同第５，９５１，８３６号、同第６，２４１，８６２号、同第６，２８４，１２５号、同第６，４１３，４１０号、同第６，７３３，６５５号、同第７，１１２，２６５号、同第７，２４１，２６５号、及び同第７，２５０，１０５号に見ることができ、これらのそれぞれは、参照によって全体が本明細書に組み込まれる。
【００１８】
ＵＳＢインターフェース１０８は、当業者に既知の任意の好適なインターフェースであってもよい。更に、ＵＳＢインターフェース１０８は、手持ち式試験計測器１００の電池１１２が、例えば、当業者に周知の充電技法を使用して、ＵＳＢインターフェース１０８を介して充電されるように構成することができる。ＵＳＢインターフェース１０８は、本質的に、電力を供給し、手持ち式試験計測器１００の通信ポートブロック１２２へデータラインを提供するように構成される、受動構成要素である。
【００１９】
いったん分析試験ストリップが手持ち式試験計測器１００と連動されると、又はその前に、体液試料（例えば、全血試料）が分析試験ストリップの試料受容チャンバに投与される。分析試験ストリップは、検体を別の所定の化学形態に選択的かつ定量的に転換させる、酵素試薬を含むことができる。例えば、分析試験ストリップは、グルコースを酸化型に物理的に転換させることができるように、フェリシアン化物及びグルコースオキシダーゼを伴う酵素試薬を含むことができる。
【００２０】
電池１１２は、例えば、ハウジング１１０内に永久的に封止された充電式電池を含む、任意の好適な電池であってもよい。電源回路ブロック１１８は、例えば、当業者に周知の低損失レギュレータ（ＬＤＯ）と、電圧調節回路と、を含む。ＦＴＯ電気回路ブロック１１４は、図３に関して以下に詳細に説明される。手持ち式試験計測器１００のメモリブロック１２６は、分析試験ストリップの電気化学応答に基づき、検体を判定する、好適なアルゴリズムを含む。
【００２１】
図３は、本発明の実施形態に使用可能な、電池１１２と連結された初公開（ＦＴＯ）電気回路ブロック１１４、ボタン電気回路ブロック１１６、電源回路ブロック１１８及びマイクロコントローラブロック１２０を示す、簡略化した複合電気配線及びブロック図である。
【００２２】
ＦＴＯ電気回路ブロック１１４は、（ｉ）外部装置による起動ノード（図３ではＴＰ９５と表示される）への電気信号の直接印加時、又は（ｉｉ）生成された停止信号の信号受信端子１５０（図３参照）での受信時のいずれかでのみ、手持ち式試験計測器１００をディープ省電力モード（ディープスリープモードとも呼ばれる）にするように構成される。
【００２３】
起動ノードに電気信号を直接印加する外部装置は、例えば、製造中及び保管場所への輸送前に手持ち式計測器の機能を試験するためにも使用される、製造試験器であってもよい。停止信号（図３では「ＥＮ＿ＰＷＲ」と表示される）は、例えば、ＵＳＢインターフェース１０８を介して、マイクロコントローラブロック１２０が受信した外部指令信号に応じて、マイクロコントローラブロック１２０により生成される。
【００２４】
また、ＦＴＯ電気回路ブロック１１４は、少なくとも１つのユーザーが操作可能なボタンから所定のユーザートリガ信号（図３では「ＯＮ＿ＯＫ＿ＢＡＴＴＥＲＹ」と表示される）を受信すると、ディープ省電力モードを終了させ、手持ち式試験計測器１００を通常動作モードにするようにも構成される。所定の信号は、例えば、エンドユーザーが図１に描写されるＯＫボタンを少なくとも２秒間押すことによって、任意の好適なボタン電気回路ブロック１１６によって生成することができる。好適なボタン電気回路ブロックは、同時係属中の米国特許出願第６１／３５９，２３６号に記載されている。ただし、いったん本開示を知ると、当業者は、望ましい場合に、本発明の実施形態による手持ち式試験計測器のディープ省電力モードを終了させ、他の好適な方法及び構成によって手持ち式試験計測器を通常動作モードにすることもできることを認識するであろう。このような方法及び構成には、例えば、ＵＳＢインターフェース１０８への外部装置の装入に基づくものが挙げられる。
【００２５】
ディープ省電力モードでは、任意の自然発生的な電池放電機構を通して電池１１２自体によって、及びボタンが押されるとボタン電気回路ブロックによって、電力は一時的にのみ消費され、手持ち式試験計測器のいずれの他のブロック（ＦＴＯ電気回路ブロック、電源ブロック、マイクロコントローラブロック、ディスプレイ制御ブロック、通信ポートブロック、及びメモリブロック等）によっても消費されないため、手持ち式試験計測器１００は、約１５ｎＡ未満の電力を消費する。
【００２６】
図３を参照すると、ここで、ＦＴＯ電気回路ブロック１１４の動作がより詳細に記載される。図３のＦＴＯ電気回路ブロックが説明のためだけのものであり、本発明の実施形態で使用されるＦＴＯ電気回路ブロックは、細部において図３とは異なる形態をとることができることを、当業者は認識するであろう。
【００２７】
手持ち式試験計測器１００がディープ省電力モードのとき、Ｐ−ＦＥＴトランジスタＱ１２及びＮ−ＦＥＴトランジスタＱ１６は共に停止状態であり、したがってＰ−ＦＥＴトランジスタＱ１１のゲートは「オフ」又は「遮断」状態と呼ばれる状態で（抵抗Ｒ９１を介して）高く維持される。トランジスタＰ−ＦＥＴ  Ｑ１１が「オフ」状態であるため、電池１１２は図３でＶＢＡＴと表示されるパス／信号を介して電源回路ブロック１１８に接続されず、手持ち式試験計測器１００はディープ省電力モードになる。
【００２８】
電気起動信号が直接印加されると手持ち式試験計測器１００をディープ省電力モードにする起動ノードは、図３ではＴＰ９５と表示される。このような印加される電気起動信号は、例えば、Ｎ−ＦＥＴトランジスタＱ１６のゲートを引き下げ、したがってＰ−ＦＥＴトランジスタＱ１１を停止し、手持ち式試験計測器１００をディープ省電力モードにする、低レベルグラウンド（ＧＮＤ）信号又は他の好適な信号であってもよい。このようなディープ省電力モードでは、マイクロコントローラブロック１２０は電力供給されておらず、したがって不注意でＮ−ＦＥＴトランジスタＱ１６のゲートを引き上げてディープ省電力モードを中断し得る、信号受信端子１５０で高信号を生成できない。ディープ省電力モードでは、抵抗Ｒ１０３も、Ｎ−ＦＥＴトランジスタＱ１６を起動し得る任意の不注意な漏れを防ぐように働く。
【００２９】
前述したように、ディープ省電力モードは、信号受信端子での停止信号の受信によって入ることもできる。図２及び３の実施形態では、マイクロコントローラブロック１２０への好適なＡＴＥ指令（例えば、通信ポートブロック１２２を介してマイクロコントローラブロック１２０に送信されたＡＴＥソフトウェア指令）の送信により、マイクロコントローラブロックによる停止信号ＥＮ＿ＰＷＲの生成（すなわち、ＥＮ＿ＰＷＲの低レベルへの引き下げ）が制御される。このような低レベル信号は、Ｎ−ＦＥＴトランジスタＱ１６を遮断（停止）し、したがってＰ−ＦＥＴトランジスタＱ１１を停止し、手持ち式試験計測器１００をディープ省電力モードにする。ＡＴＥ信号は、マイクロコントローラブロックによる停止信号の生成を制御（例えば、開始）するように設計された、当業者に既知の任意の好適なＡＴＥ信号であってもよい。マイクロコントローラブロックは、任意の好適な形態をとり、例えば、Ｔｅｘａｓ  Ｉｎｓｔｒｕｍｅｎｔｓ（Ｄａｌｌａｓ，Ｔｅｘａｓ，ＵＳＡ）から部品番号ＭＳＰ４３０Ｆ２６１８として市販されているマイクロコントローラなどの任意の好適なマイクロコントローラ回路を含むことができることも知られている。
【００３０】
ディープ省電力モードは、少なくとも１つのユーザーが操作可能なボタンから所定のユーザートリガ信号（すなわち、図３の信号ＯＮ＿ＯＫ＿ＢＡＴＴＥＲＹ）がＰ−ＦＥＴトランジスタＱ１２のゲートに印加されると終了される。したがって、Ｐ−ＦＥＴトランジスタＱ１２は、引き下げられて、抵抗Ｒ２９を介して電池１１２からＮ−ＦＥＴトランジスタＱ１５のゲートに電圧を接続するであろう。このような電池１１２のＮ−ＦＥＴトランジスタＱ１５への接続は、Ｎ−ＦＥＴトランジスタＱ１５を起動し、Ｐ−ＦＥＴトランジスタＱ１１のゲートを引き下げ、したがって電池１１２から電源回路ブロック１１８及び残りの手持ち式試験計測器のブロック（マイクロコントローラブロック１２０など）に電力を供給する。
【００３１】
いったんマイクロコントローラブロック１２０が電力供給されると、マイクロコントローラブロック１２０は、図３の信号ＥＮ＿ＰＷＲを高レベルに初期化するように構成される。この高レベルは、Ｎ−ＦＥＴトランジスタＱ１６を起動し、次にそれによってＰ−ＦＥＴトランジスタＱ１１のゲートも引き下げられるであろう。次に、ＦＴＯ電気回路ブロックが高レベル信号ＥＮ＿ＰＷＲの存在によって起動したままである限り、手持ち式試験計測器１００は、少なくとも１つのユーザー起動ボタンが解除されたまま電力供給状態（すなわち、ディープ省電力モードでない状態）にとどまるであろう。
【００３２】
図３のＦＴＯ電気回路の実施形態では、コンデンサＣ１０７と抵抗Ｒ２６との組み合わせ及び抵抗Ｒ２９とコンデンサＣ３７との組み合わせは共に、例えば、短信号−スパイク又はＥＳＤ−スパイクから、ＦＴＯ電気回路ブロックの不注意による状態変化を防ぐ、低域フィルターとして働く構成である。
【００３３】
ディープ省電力モードでは、ボタンが押される場合には、ボタン電気回路ブロック１１６によって消費される以外、ＦＴＯ電気回路ブロック１１４又は手持ち式試験計測器１００の他の回路ブロックによっては、電力が消費されない。ボタン電気回路ブロック１１６は、ボタンが押される際にのみ、典型的にミリ秒から数秒の範囲の期間（持続時間）（即ち、一時的に）、所定のユーザー生成信号を生成するために電力を消費するように構成される。したがって、ボタン電気回路ブロック１１６は、わずかな量の電力のみを消費する。ディープ省電力モードでの唯一の顕著な電力消費は、電池１１２の自然な自己放電及び電池１１２に含まれる任意の電池保護回路（図には示されていない）に関連するものである。使用中、ＦＴＯ電気回路ブロック１１４は、電池１１２を電源回路ブロック１１８に電気的に接続することによって、ディープ省電力モードを終了させるために必要とされる数秒間のみ、その全体に電力を供給される。ただし、ディープ省電力モードが終了し、マイクロコントローラブロック１２０が高レベルＥＮ＿ＰＷＲ信号をアサートした後、少なくとも抵抗Ｒ１０３を通過する、例えば２０μＡ以下の、最小限の一定の電力流出が存在するであろう。
【００３４】
図４は、本発明の実施形態による、体液試料（例えば、全血試料）中の検体（グルコース等）の判定のために構成される、手持ち式試験計測器を操作するための方法４００における段階を描写する、フローチャートである。方法４００は、手持ち式試験計測器のエンドユーザー操作の前に、保管及び輸送のうちの少なくとも１つのために手持ち式試験計測器を準備する工程を含む（図４の工程４１０を参照）。準備は、（ｉ）外部装置（例えば、手持ち式試験計測器の製造工程で使用される製造試験器）による手持ち式試験計測器の初公開（ＦＴＯ）電気回路ブロックの起動ノードへの電気信号の直接印加、又は（ｉｉ）ＦＴＯ電気回路ブロックの信号受信端子での停止信号の受信のいずれかにより、手持ち式試験計測器をディープ省電力モードにすることによって達成される。
【００３５】
また、方法４００は、工程４２０で、ＦＴＯ電気回路ブロックが手持ち式試験計測器のユーザーが操作可能なボタンから所定のユーザートリガ信号を受信するのに基づき、ディープ省電力モードを終了させ、手持ち式試験計測器を通常動作モードにする工程と、続いて工程４３０で、エンドユーザーが手持ち式試験計測器を操作する工程と、をも含む。
【００３６】
本発明の実施形態による方法では、準備する工程の後かつ終了させる工程の前に、手持ち式試験計測器を、例えば、手持ち式試験計測器の製造現場から輸送することができる。加えて、所望により、手持ち式試験計測器を、準備する工程の後かつ終了させる工程の前に保管することができる。準備する工程が、手持ち式試験計測器をディープ省電力モードにしたため、手持ち式試験計測器に含まれる電池の完全な放電なく、比較的長い持続時間にわたって、そのような輸送及び保管を実施することができる。
【００３７】
本発明の実施形態による方法は、望ましい場合には、（ｉ）電気化学系分析試験ストリップに体液試料を適用する工程と、（ｉｉ）手持ち式試験計測器を使用して、電気化学系分析試験ストリップの電気化学応答を測定する工程と、（ｉｉｉ）測定される電気化学応答に基づき、検体を判定する工程と、を含むこともできる。
【００３８】
いったん本開示を知ると、当業者は、本発明の実施形態による、及び本明細書に記載される、手持ち式試験計測器の任意の技法、利点及び特性を組み込むように、方法４００を容易に修正できることを認識するであろう。
【００３９】
以上、本発明の好ましい実施形態を示し、説明したが、このような実施形態は、あくまで一例として与えられたものである点は当業者には明らかであろう。当業者であれば、本発明から逸脱することなく、多くの変形、変更、及び置換が想到されるであろう。本発明を実施するうえで本明細書で述べた実施形態には、様々な代替例が用いられ得る点は理解されるべきである。以下の「特許請求の範囲」は、本発明の範囲を定義するとともに特許請求の範囲に含まれる装置及び方法、並びにそれらの均等物をこれによって網羅することを目的としたものである。
【００４０】
本発明の代表的な実施形態は、体液試料（例えば、全血試料）中の検体（グルコース等）の判定において分析試験ストリップ（例えば、電気化学系分析試験ストリップ）と共に使用するための手持ち式試験計測器に関して説明されるが、本発明は、任意の電子機器、特に家庭用電子機器に適用可能であり、これには、コンピュータ、プリンタ、コピー機、テレファクス、携帯電話、玩具、ＭＰ３プレーヤ、オーディオ装置、テレビ、ステレオ、ラジオ、計算器、デジタルカメラ、ＧＰＳ自動車エレクトロニクス、台所用品、ＤＶＤ、ＶＣＲ、又はカムコーダなどの映像媒体を使用するプレーヤ及びレコーダが挙げられるが、これらに限定されないことに留意されたい。
【図１】
2014505258.tif 000003
【図２】
2014505258.tif 000004
【図３】
2014505258.tif 000005
【図４】
2014505258.tif 000006
【国際調査報告】
2014505258.tif 000007
2014505258.tif 000008